(57)【特許請求の範囲】
【請求項１】
器具ケースの端子部に引出した圧着端子配線用のねじ穴付端子板の上に、上面および底面にねじ穴を形成した直配線用の角筒形ボックスを重ね、かつ該ボックスの底面側のねじ穴にねじを通して前記端子板に締結し、配線に際して前方からボックスに挿入した電線の素線をボックス上面側のねじ穴に螺合した端子ねじとボックス底面との間に押さえ込んで接続するとともに、前記端子板，ボックスを覆って端子部に端子カバーを被着したものにおいて、端子カバーが、その前面に電線挿入穴，上面にドライバ挿入穴を開口した樹脂モールド品であり、かつカバー前面に開口した電線挿入穴の内側に、該穴を横切って延在する切り離し可能なアーチ状のガードリブを形成したことを特徴とする電気器具の端子装置。
【発明の詳細な説明】
【０００１】
【発明の属する技術分野】
本発明は、電磁接触器，および該電磁接触器の付属するサーマルリレーなどを実施対象とした電気器具の配線用端子装置に関する。
【０００２】
【従来の技術】
頭記した電磁接触器，サーマルリレーには主回路の電線配線用の端子を備えており、その様子を図６(a),(b) に示す。図６において、電磁接触器１，サーマルリレー２の本体ケースは、樹脂モールドケース（以下、器具ケース３と呼称する）になり、かつ該ケース３の一角には相間バリアの間に画成した主回路，制御回路の端子部３ａが形成されており、この端子部３ａには配線用端子４を備えている。
【０００３】
ここで、配線用端子４として一般には、図７(a) 〜(c) で示すような圧着端子配線用の端子板５が標準装備されている。すなわち、端子板５は先端にねじ穴５ａを穿孔した平角銅板で、器具ケースの端子部３ａに引き出すように組付けられている。そして、該端子板５に圧着端子付き電線（絶縁被覆線）６を配線するには、圧着端子７に端子ねじ８を通して端子板５にねじ締結する。
【０００４】
また、器具ケースの端子部３ａに配した端子４を、電線の素線を接続直配線専用とした構造も公知であり、この端子構造では図８(a) 〜(d) で示すようにねじ穴の無い平角銅の端子板９に直配線用のボックス１０を組合せ、前方からボックス１０に挿入した電線６の素線６ａをボックス１０に螺合した主端子ねじ１１，ワッシャ１２を介して端子板９との間に押さえ込んで配線するようにしている。なお、１３は感電防止用として端子部３ａに被着した感電防止用の端子カバーである。この端子カバー１３は図示のように断面Ｌ字形の樹脂モールド品で、その前面には電線６を差し込む角穴状の電線挿入穴１３ａが開口し、上面には主端子ねじ１１を操作するドライバ（ねじ回し）１４を差し込むドライバ挿入穴１３ｂが開口している。
【０００５】
さらに、使用先における現場での電線の配線状況によっては、圧着端子を使わずに電線の被覆を剥がして素線のまま電気器具の端子に接続する場合があり、このような状況の下で、電気器具に標準装備されている図７の圧着端子配線用端子板５を電線の直配線用に転向させるために、従来では端子板５に図９(a) 〜(c) に示すようなボックス１５を取付けて配線するようにしている。
【０００６】
この端子構造では、ボックス１５から背後に延長したねじ穴付き取付脚片１５ａを端子板５の上面に重ね合わせてねじ１６で固定する。そして、この組立状態で前方からボックス１５に挿入した電線６の素線６ａを、図８と同様にボックス１５の上面に螺合した端子ねじ１７で押さえ込んで配線する。なお、この構造では、ボックス１５を端子板５にねじ止めする際に、ドライバによるねじ操作がボックス１５との干渉なしに行えるように脚片１５ａを設けおり、このため端子板５にボックス１５を取付けた状態では、ボックス１５が端子部３ａから前方に突き出すようになる。
【０００７】
【発明が解決しようとする課題】
ところで、前記のように電気器具に標準装備した圧着端子配線用の端子を電線の直配線に対応させるために、図９で述べたように圧着端子配線用の端子板５に直配線用のボックス１５を組合せた従来の端子構造では、ボックス１５が器具ケースの端子部から前方にはみ出すために、図８で述べたような標準付属品の端子カバーを装着することができず、これにより端子部のボックス１５に手が触れ易く、通電時に誤って充電部に触れて感電する危険性が大となる。
【０００８】
また、図８に示した従来構造の端子カバー１３には、次に記すような問題点がある。すなわち、電気器具の端子に電線６を直配線する場合に、電線の絶縁被覆を余計に剥いて素線６ａの突き出し長さが長くなると、配線状態で素線６ａが端子カバー１３の外側に露出し、この部分に手が触れて感電するおそれがある。
さらに、端子カバー１３の前面に開口した電線挿入穴１３ａのサイズは、実使用電線を配線した状態で電線と挿入穴の周縁との間に所定のスペースを確保することが規格で規定されており、その検査には試験ゲージを挿入して適否を判定するようにしている。このことから、端子カバー１３を設計，製作するに当たっては、その電気器具に適用する電線のうち、最大の電線径を基準にして電線挿入穴１３ａのサイズを規格に合わせて設定している。一方、電気器具の使用先現場に配線されている電線の太さは様々であり、特に端子カバー１３の電線挿入穴１３ａのサイズに比して小径な電線を配線した場合には、電線の周囲に指先や異物の挿入を許容するような間隙が残り、このために電線の素線に直接指先が触れて感電したりするおそれがある。
【０００９】
本発明は上記の点に鑑みなされたものであり、電気器具に標準装備されている圧着端子配線用の端子、および端子カバーをそのまま使用しつつ、電線の直配線用に転向できるようにし、併せて端子カバーの充電部保護機能を高めるように改良した端子装置を提供することにある。
【００１０】
【課題を解決するための手段】
上記目的を達成するためには、本発明によれば、器具ケースの端子部に引出した圧着端子配線用のねじ穴付端子板の上に、上面および底面にねじ穴を形成した直配線用の角筒形ボックスを重ね、かつ該ボックスの底面側のねじ穴にねじを通して前記端子板に締結し、配線に際して前方からボックスに挿入した電線の素線をボックス上面側のねじ穴に螺合した端子ねじとボックス底面との間に押さえ込んで接続するとともに、前記端子板，ボックスを覆って端子部に端子カバーを被着したものにおいて、端子カバーが、その前面に電線挿入穴，上面にドライバ挿入穴を開口した樹脂モールド品であり、かつカバー前面に開口した電線挿入穴の内側に、該穴を横切って延在する切り離し可能なアーチ状のガードリブを形成する。（請求項１）
【００１１】
上記の構成によれば、端子板の上のボックスを重ねて固定したことで、ボックスが器具ケースの端子板から前方にはみ出すことがなく、したがって端子板およびボックスを覆って端子板に端子カバーを装着した状態で電線の素線をボックスに挿入して直配線を行うことができる。しかも、ねじ穴付き端子板の上にボックスを重ねてねじ止めする際には、ボックスの上面に開口したねじ穴を利用してここにドライバを挿入することで上方からねじ止め操作が行える。また、実使用の電線太さが細い場合でも、その電線を端子カバーの電線挿入穴を通して配線した状態で電線の上方スペースを横切るように穴内に延在するアーチ状のリブがガードレールの役目を果たすので、端子カバーの内側の充電部（電線の素線）に外部から手や異物が触れるのを防いで高い安全性を確保できる。また、端子に太い電線を配線する場合、あるいは電線挿入穴に試験ゲージを挿入して端子カバーの穴サイズが規格通りであるか否かを検査する場合には、前記のガードリブの根元を切り取ることで簡単に対応できる。
【００１４】
【発明の実施の形態】
以下、本発明の実施の形態を図１〜図５に示す実施例で説明する。なお、各実施例の図中で、図７〜図９に対応する同一部材には同じ符号を付してその説明は省略する。
〔実施例１〕
図１〜図３は本発明の請求項１に対応した端子装置の構造図である。この実施例においては、まず図１(a) 〜(d) で示すように、圧着端子配線用端子として器具ケースの端子部３ａに標準装備されているねじ穴付き端子板５について、端子板５の上に電線の素線を差込んで接続するボックス１５を重ね合わせた上で、皿ねじ１８を介して端子板５にねじ締結しており、さらに端子板５，ボックス１５の上面，前面を覆って端子部３ａに端子カバー１３を装着し、これで電線の直配線に対応する端子装置を構成している。
【００１５】
ここで、ボックス１５は前後面を開放した銅製の角筒で、その上面および下面にはねじ穴が形成されており、上面側のねじ穴には端子ねじ１７が螺合されている。一方、端子カバー１３は図８に示した端子カバーと同様なＬ字形の樹脂モールド板で、その前面には角形の電線挿入穴１３ａ，上面にはドライバ挿入穴１３ｂが開口している。
【００１６】
そして、この端子装置に圧着端子を使わずに電線６を直配線するには、図２(a) で表すように、電線６の絶縁被覆を剥いて露出させた素線６ａを端子部３ａの前方から端子カバー１３の電線挿入穴１３ａを通してボックス１５に差込み、この状態で端子カバー１３の上面穴を通して上方からドライバ１４を差込み、ボックス１５の端子ねじ１７をねじ操作して素線６ａを端子ねじ１７とボックス１５の底面との間に直接押さえ込んで配線する。
【００１７】
また、圧着端子付きの電線を配線する場合には、端子板５から前記のボックス１５を取り外し、この状態で図２(b) で表すように圧着端子７に通した端子ねじ８を端子カバー１３の上面穴１３ｂを通して差し込んだドライバ１４でねじ締めして配線する。
なお、端子板５にボックス１５を取付けるには、図３(a) 〜(c) で表すように、先記の端子カバー１３，および端子ねじ１７を外した状態で端子板５の上にボックス１５を載置し、この位置でボックス１５の下面側のねじ穴に通した皿ねじ１８を、ボックス１５の上面側ねじ穴１５ａを利用して上方から差し込んだドライバ１４でねじ締めする。
【００１８】
上記のように、上下面にねじ穴を形成した角筒形のボックス１５を端子板５の上に重ねてねじ止めした構成により、図９に示した従来例のようにボックス１５が端子部３ａから外側にはみ出すことがなく、端子部３ａに装着した端子カバー１３の内方に納まる。また、ボックス１５の上面側に形成した端子ねじ１７用のねじ穴１５ａを利用してここにドライバ１４を差し込むことにより、端子板５とボックス１５とのねじ締め操作がボックスに邪魔されずに行える。
【００１９】
〔実施例２〕図４（ａ），（ｂ）は本発明の一実施例を示す端子カバーの構造図である。この実施例においては、端子カバー１３の前面には電線挿入穴１３ａの周縁に沿って前方に突出する庇状の突起１３ｃが形成されている。この庇状突起１３ｃは、図２（ａ）に示した電線６の配線状態で、素線６ａの剥き出し長さが多少長いために端子カバー１３の外側に露出していても、前記の庇状突起がガードフェンスの役目を果して素線に指先や異物が触れるのを防ぐ。これにより、充電部に誤って手が触れる不足な感電事故を防止できる。
【００２０】
〔実施例３〕図５（ａ），（ｂ）は本発明の請求項１に対応した端子カバーの構造図である。この実施例においては、端子カバー１３のカバー前面に開口した電線挿入穴１３ａの上部内側に、該穴を横切って延在する切り離し可能なアーチ状のガードリブ１３ｄが形成されている。
【００２１】
これにより、実使用の電線太さが細い場合でも、その電線を端子カバー１３の電線挿入穴１３ａを通して端子部に配線した状態で、電線の上方スペースを横切るように延在するアーチ状のリブ１３ｄがガードレールの役目を果す。これにより、端子カバー１３の内側の充電部（電線の素線）に外部から手異物が触れるのを防いで高い安全性を確保できる。
【００２２】
また、実使用配線の電線が太い場合、あるいは電線挿入穴１３ａに試験ゲージを挿入して端子カバー１３の穴サイズが規格通りであるか否かを検査する場合には、前記のガードリブ１３ｄの根元を折って切り取ることで簡単に対応させることかできる。
【００２３】
【発明の効果】
以上述べたように、本発明の構成により次記の効果を奏する。
（１）本発明の請求項１の構成によれば、器具ケースの端子部に標準装備した圧着端子配線用の端子板の上に、上面および底面にねじ穴を形成した直配線用のボックスを重ねて前記端子板にねじ締結し、前方からボックスに挿入した電線の素線をボックス上面側のねじ穴に螺合した端子ねじで締めつけて配線したに押さえ込んで配線するようにしたことにより、端子カバーを装着して充電部保護の安全性を確保しつつ、圧着端子配線用の端子板を電線の直配線用として転向させることができる。
（２）また、端子部に装着する端子カバーの電線挿入穴に、請求項１のガードリブを形成することにより、規格で定めた挿入試験ゲージスペースを確保しつつ、端子カバーの充電部保護機能を高めて端子装置に対する感電防止の安全性を改善できる。
【図面の簡単な説明】
【図１】本発明の実施例１に対応した端子装置の組立構造図であり、(a) は縦断側面図、(b) は一部断面の正面図、(c) は横断平面図、(d) は端子カバーの正面図
【図２】図１の端子装置に電線を配線する作業手順を表す説明図であり、(a) は電線の素線を直配線する場合、(b) は圧着端子付き電線を配線する場合の状態図
【図３】図１の端子装置においてボックスを端子板にねじ止めする作業手順を表す説明図であり、(a) は側面図、(b) は正面図、(c) は平面図
【図４】本発明の実施例２に対応する端子カバーの構造図であり、(a) は正面図、(b) は縦断側面図
【図５】本発明の実施例３に対応する端子カバーの構造図であり、(a) は正面図、(b) は縦断側面図
【図６】本発明の端子装置を採用する電気器具の例示図で、(a) はサーモリレー，(b) は電磁接触器の外観図
【図７】図６の電気器具に標準装備した圧着端子配線用端子の構造図であり、(a) は縦断側面図、(b) は正面図、(c) は横断平面図
【図８】図６の電気器具に採用した直配線用端子の構造図であり、(a) は縦断側面図、(b) は正面図、(c) は横断平面図、(d) は従来の端子カバーの正面図
【図９】図７の端子板を直配線用端子に転向した従来における端子構造図であり、(a) は縦断側面図、(b) は正面図、(c) は横断平面図
【符号の説明】
３    器具ケース
３ａ  端子部
５    圧着端子配線用の端子板
６    電線
６ａ  素線
７    圧着端子
８，１７  端子ねじ
１３    端子カバー
１３ａ  電線挿入穴
１３ｂ  ドライバ挿入穴
１３ｃ  庇状突起
１３ｄ  ガードリブ
１５    ボックス
１８    皿ねじ
【図１】
0004172146.tif 000002
【図２】
0004172146.tif 000003
【図３】
0004172146.tif 000004
【図４】
0004172146.tif 000005
【図５】
0004172146.tif 000006
【図６】
0004172146.tif 000007
【図７】
0004172146.tif 000008
【図８】
0004172146.tif 000009
【図９】
0004172146.tif 000010